(57)【要約】【課題】複数の静止画に施す共通の処理の指定を１回の操作でおこなえるようにすることにより操作効率を向上させることができるとともに、その処理指定内容を処理前に表示して確認することもできる画像再生技術を提供する。【解決手段】複数の静止画を再生する画像再生装置において、再生する前記複数の静止画中のそれぞれに対して処理を施す処理手段と、その処理手段により前記複数の静止画に処理を施すに際して指定された処理指定内容を保存しておく処理内容保存手段と、保存された前記処理指定内容の処理を前記複数の静止画に対して実施する前にその処理指定内容を示すアイコン３１を指示に応じて表示する確認表示手段とを備えた。また、前記確認表示手段により前記処理指定内容を表示する際、その処理指定内容とともに、その処理を施す複数の静止画を縮小した複数の縮小画像を再生順に並べて表示する構成にした。【選択図】        図７
2004266580.tif 000002
【特許請求の範囲】
【請求項１】
複数の静止画を再生する画像再生装置において、再生する前記複数の静止画中のそれぞれに対して処理を施す処理手段と、その処理手段により前記複数の静止画に処理を施すに際して指定された処理指定内容を保存しておく処理内容保存手段と、保存された前記処理指定内容の処理を前記複数の静止画に対して実施する前に、その処理指定内容を指示に応じて表示する確認表示手段とを備えたことを特徴とする画像再生装置。
【請求項２】
請求項１記載の画像再生装置において、前記確認表示手段により前記処理指定内容を表示する際、その処理指定内容とともに、その処理を施す複数の静止画を縮小した複数の縮小画像を再生順に並べて表示する構成にしたことを特徴とする画像再生装置。
【請求項３】
請求項１または請求項２記載の画像再生装置において、前記処理指定内容の表示は、その処理指定内容を示すアイコンの表示であることを特徴とする画像再生装置。
【請求項４】
請求項１または請求項２記載の画像再生装置において、前記処理指定内容の表示は、その処理指定内容を示す所定の文字列の表示であることを特徴とする画像再生装置。
【請求項５】
請求項１乃至請求項４のいずれか１項に記載の画像再生装置において、画像再生装置がデジタルカメラであることを特徴とする画像再生装置。
【請求項６】
複数の静止画を再生する画像再生方法において、再生する前記複数の静止画中のそれぞれに対して処理を施すに際して指定された処理指定内容を保存しておき、保存した前記処理指定内容の処理を前記複数の静止画に対して実施する前に、その処理指定内容を指示に応じて表示することを特徴とする画像再生方法。
【請求項７】
請求項６記載の画像再生方法において、前記処理指定内容を表示する際、その処理指定内容とともに、その処理を施す複数の静止画を縮小した複数の縮小画像を再生順に並べて表示することを特徴とする画像再生方法。
【請求項８】
請求項６または請求項７記載の画像再生方法において、前記処理指定内容の表示は、その処理指定内容を示すアイコンの表示であることを特徴とする画像再生方法。
【請求項９】
請求項６または請求項７記載の画像再生方法において、前記処理指定内容の表示は、その処理指定内容を示す所定の文字列の表示であることを特徴とする画像再生方法。
【請求項１０】
プログラムを記憶した記憶媒体において、請求項６、請求項７、請求項８、または請求項９記載の画像再生方法によった画像再生を実行させるプログラムを記憶したことを特徴とする記憶媒体。
【発明の詳細な説明】
【０００１】
【発明の属する技術分野】
本発明は、複数の静止画を自動またはマニュアル再生する、デジタルカメラなど画像再生装置に係わり、特に、画像再生に際して静止画の編集処理などを効率的におこなうことができる画像再生技術に関する。
【０００２】
【従来の技術】
半導体技術および情報処理技術の進歩により、情報機器や画像を扱う機器の多機能化が進んでいる。例えばデジタルカメラは、単に撮影するだけの機器でなく、一連の撮影画像を編集し、編集した静止画を例えばスライド映像として表示装置へ出力する画像再生装置としても用いることができるようになった。
例えば特開平１１−３３１７３９号公報に示された従来技術はそのような従来技術の代表例であり、図２に示したデジタルカメラとほぼ同様の操作ボタンである、「ＳＥＴ」ボタン、「ＭＥＮＵ」ボタン、「ＪＵＭＰ」ボタン、「＋」ボタン、「−」ボタンなどを備えて、撮影した個々の静止画を編集したり、個々の静止画を消去したりすることができ、さらに、編集した一連の静止画を映出させ、スライドショーをおこなうことができる。デジタルカメラの背面に備えた表示装置を用いて画像を確認しながら対象静止画を選択し、選択したそれぞれの静止画に対して指定した処理を施し、処理された複数の静止画を予め指定した順番で自動再生するのである。
【特許文献１】特開平１１−３３１７３９号公報
【０００３】
【発明が解決しようとする課題】
しかしながら、前記した特開平１１−３３１７３９号公報に示された従来技術においては、１つの画像ごとに１つ１つの指定操作をおこなうので、同様の操作を複数の画像に実施する場合には効率が悪い。例えば画像補正など指定操作に時間がかかる編集処理を複数画像に対して繰り返すような場合には非常に効率が悪くなるのである。
本発明の目的は、このような従来技術の問題を解決することにあり、具体的には、複数の静止画に施す共通の処理の指定を１回の操作で自動的におこなえるようにすることにより、操作効率を向上させることができるとともに、再生する複数の静止画に施される処理内容を表示してその処理内容を確認することもできる画像再生技術を提供することにある。
【０００４】
【課題を解決するための手段】
前記の課題を解決するために、請求項１記載の発明では、複数の静止画を再生する画像再生装置において、再生する前記複数の静止画中のそれぞれに対して処理を施す処理手段と、その処理手段により前記複数の静止画に処理を施すに際して指定された処理指定内容を保存しておく処理内容保存手段と、保存された前記処理指定内容の処理を前記複数の静止画に対して実施する前にその処理指定内容を指示に応じて表示する確認表示手段とを備えた。
また、請求項２記載の発明では、請求項１記載の発明において、前記確認表示手段により前記処理指定内容を表示する際、その処理指定内容とともに、その処理を施す複数の静止画を縮小した複数の縮小画像を再生順に並べて表示する構成にした。
また、請求項３記載の発明では、請求項１または請求項２記載の発明において、前記処理指定内容の表示はその処理指定内容を示すアイコンの表示である構成にした。
また、請求項４記載の発明では、請求項１または請求項２記載の発明において、前記処理指定内容の表示はその処理指定内容を示す所定の文字列の表示である構成にした。
また、請求項５記載の発明では、請求項１乃至請求項４のいずれか１項に記載の発明において、画像再生装置がデジタルカメラである構成にした。
また、請求項６記載の発明では、複数の静止画を再生する画像再生方法において、再生する前記複数の静止画中のそれぞれに対して処理を施すに際して指定された処理指定内容を保存しておき、保存した前記処理指定内容の処理を前記複数の静止画に対して実施する前に、その処理指定内容を指示に応じて表示する構成にした。
また、請求項７記載の発明では、請求項６記載の発明において、前記処理指定内容を表示する際、その処理指定内容とともに、その処理を施す複数の静止画を縮小した複数の縮小画像を再生順に並べて表示する構成にした。
また、請求項８記載の発明では、請求項６または請求項７記載の発明において、前記処理指定内容の表示はその処理指定内容を示すアイコンの表示である構成にした。
また、請求項９記載の発明では、請求項６または請求項７記載の発明において、前記処理指定内容の表示はその処理指定内容を示す所定の文字列の表示である構成にした。
また、請求項１０記載の発明では、プログラムを記憶した記憶媒体において、請求項６、請求項７、請求項８、または請求項９記載の画像再生方法によった画像再生を実行させるプログラムを記憶した。
【０００５】
【発明の実施の形態】
以下、図面により本発明の実施の形態を詳細に説明する。
図１は本発明の各実施例の画像再生装置を示すデジタルカメラ要部の構成ブロック図である。図示したように、このデジタルカメラは、このカメラの全体を制御する制御部１、レンズ２、絞り機能を有するシャッタ３、レンズ２により結像された光学像をアナログ電気信号に変換する撮像素子４、そのアナログ電気信号をデジタルデータに変換するＡＤ変換器５、デジタル化された撮像画像データ（以下、画像データと略す）に各種画像処理を施す画像処理部６、画像処理された画像データを記憶するメモリ７、各種操作ボタンなどを有する操作部８、表示画面用の画像データを記憶する画像表示メモリ９、メモリ制御をおこなってメモリ７に記憶されている画像データを画像表示メモリ９へ取り込むとともに画像表示メモリ９から画像データを取り出しアナログ信号に変換して出力する表示インタフェース部１０、タッチパネル付き表示部（例えば液晶パネル）１１、プリンタなどに画像データを出力するためのインタフェース部である画像出力部１２、ＬＡＮや公衆網などを介しておこなう相手装置との通信を制御する通信制御部１３、前記表示インタフェース部１０の出力信号が出力される、モニタ装置を接続するためのコネクタ１４、および現在の年月日時分を出力する時計回路１５などを備える。なお、前記制御部１は、プログラムを書き込んでおくＲＯＭ、およびそのプログラムに従って動作するＣＰＵなどを有する。また、メモリ７は画像データを含む各種データを一時的に格納するＲＡＭと、ファイル化されたデータなどを保存しておく不揮発性メモリからなる。
【０００６】
このような構成のデジタルカメラの背面図を図２に示す。図示したように、このデジタルカメラの背面には、前記操作部８、前記タッチパネル付き表示部１１、および光学ファインダ１５などを備え、操作部８には、「メニュー」ボタン２１、「セット」ボタン２２、「＋」ボタン２４、「−」ボタン２５などを備える。また、側面には前記コネクタ１４を備えている。
このような構成で、このデジタルカメラでは、例えばプレゼンテーションのためのスライド映出をおこなったり、そのための個々の静止画（スライド画像）の選択・編集および静止画の順番設定などをおこなったりすることができるが、その静止画選択・編集および静止画の順番設定はこの操作部８とタッチパネル付き表示部１１を用いておこなう。なお、スライド映出はコネクタ１４に接続されたモニタ装置を用いておこなうことができる。
操作部８に備えるいくつかのボタンのうち、「メニュー」ボタン２１は、メニューを起動したり、下位層のメニュー表示状態で上位層のメニューに戻したりする際に用いる。また、「セット」ボタン２２は選択されたメニュー項目の確定、各種処理操作の確定・実行などに用いる。また、「＋」ボタン２４は選択する静止画を最新の撮影画像の方向へ移動させたり、選択するメニューを移動させたりするのに用い、「−」ボタン２５は選択する静止画を最古の画像の方向へ移動させたり、選択するメニューを移動させたりするのに用いる。
なお、この実施例では、請求項１記載の処理手段が制御部１および画像処理部６により実現され、処理内容保存手段がメモリ７により実現され、確認表示手段が制御部１およびタッチパネル付き表示部１１により実現される。
このような構成のデジタルカメラを用いて、この実施例では、一つまたは複数の再生順番を設定した再生順ファイルを保存しておき、再生用ファイル作成時に再生順番を指定させる際、前記再生順ファイルに設定されている再生順番を用いて指定させる。また、再生される複数の静止画に対して処理を施す際に複数の静止画中の一つに対して指定された処理指定内容を保存しておき、その処理指定内容をその複数の静止画に適用させる。また、保存した処理指定内容を表示させて確認することができる。
【０００７】
図３に、本発明の第１の実施例として、ファイル作成、編集、画像消去など各処理を実行させて再生用ファイルを作成する際のメニュー画面を示す。「メニュー」ボタン２１が押されたとき、制御部１がこれを認識し、表示装置１１にこのような画面を表示させるのである。以下、再生用ファイルの作成処理から順に動作を説明する。
まず、図３に示されたメニューが表示された状態で、利用者が「ファイル作成」を指などでタッチすることにより選択して「セット」ボタン２２を押すと、制御部１はそれを認識してファイル名の入力を求めるメッセージと主要な英数字を表示させ、その英数字を順にタッチさせることによりファイル名を入力させる。こうして、制御部１はファイル名を取得すると、ファイル管理テーブル中のファイルがまだ登録されていないファイル番号をそのファイル名に付与し、ファイル管理テーブル中のそのファイル番号に対応付けてそのファイル名を書き込むとともに、時計回路１５からそのときの年月日時分の値を取得し、その値を登録日時としてファイル番号に対応づけて書き込み、さらに、再生用ファイルであることを示すファイル種別情報を書き込む。また、再生順番を内容として持つファイルを作成した場合には再生順ファイルであることを示すファイル種別情報を書き込む。なお、一つの再生順ファイルには複数の再生順番を登録することができる。
【０００８】
次に、作成された再生用ファイルまたは作成順ファイルに対する編集処理について説明する。なお、編集では、個々の静止画の編集もできるし、再生順番の作成・編集（追加，変更，削除など）もできる。
まず、図３に示されたメニューが表示された状態で、利用者が「編集」を選択して「セット」ボタンを押すと、制御部１はそれを認識して、ファイル管理テーブル中の内容を表示させる。表示されたファイル管理テーブルの各レコードはファイル番号とファイル名と登録年月日とファイル種別から成る。ここで、利用者が再生用ファイルの１つを選択すると、制御部１は「編集」メニューを表示させ、画像ごとの編集をおこなうか、再生順番の編集をおこなうかを選択させる。
そして、利用者が再生順番の編集を指定すると、制御部１は指定されている再生順ファイルを読み出し、その内容を表示させる。表示例を図４に示す。これまで例えば複数の再生順番が登録されていれば図示したように表示され、同じ画面に表示したメッセージにより、利用者の意図する再生順番に近いものがあればそれを選択させる。例えば、このときの撮影前に、それ以前にメモリ７に格納した撮影画像をすべて消去しておき、このときの撮影で２０枚の静止画をメモリ７に格納すると、その２０枚の静止画には撮影順に１から２０までの画像番号が付与されるが、そのうちの画像番号１１を除いた１９枚を撮影順に再生したい場合には、登録されている、それに近い再生順番が１から２０まで順に並んだ再生順番であるならば、以下の様に選択させるのである。
すなわち、制御部１は選択された再生順番数字列を開かれている再生用ファイルにコピーし、その再生用ファイルを処理対象として、コピーした再生順番数字列を表示させるとともに、表示された「削除」キーにタッチさせ（図５参照）、再生順番数字列の「１１」にタッチがあったことを認識すると、再生順番「１１」を再生順番数字列から削除する。図５に示したように、「追加」キーやテンキーも表示されており、これらのキーにタッチすることにより、再生順番数字列の所望の位置に所望の画像番号を追加することも可能である。
こうして、再生用ファイルに設定したい再生順番の編集が終了し、利用者が「セット」ボタン２２を押すと、制御部１はそれを認識し、当該再生用ファイルにその再生順番を設定する。そして、制御部１は変更されたその再生用ファイルを保存するか否かを指示させるメッセージを表示させ、「保存」が指示されたならば、これまで保存されていた当該再生用ファイルの内容を編集後の内容に置換する。
一方、画像ごとの編集を指定し、「＋／−」ボタンを押すと、制御部１は当該再生用ファイルに設定されている静止画の画像番号を前後に移動させ、選択された画像番号の静止画をメモリ７から読み出し、画像表示メモリ９に順次格納することにより順次表示させる。なお、静止画の下には画像番号も表示させる（図３参照）。
こうして、１つの静止画が表示された状態で利用者が「セット」ボタンを押すと、制御部１はその静止画に対する編集指示を受け付ける状態になる。そこで、利用者は、テキスト入力を選択してその静止画に文字を付け加えたり、撮影画像をセピアや白黒にしたり、画像サイズを変更したり、一部を切り抜いたりする編集指示を与える。
【０００９】
なお、この実施例では、このような個々の静止画に対する編集をおこなう際、１つの静止画に対して指定した処理指定内容を当該再生用ファイルに記憶しておき、再生対象のすべての静止画に対してその処理指定内容を適用する。例えば当該再生用ファイルに設定された複数枚の静止画に編集を施して、編集した複数枚の静止画を順に再生するようなとき、例えばどの静止画もセピアにし、画像サイズも同様に変更する場合、従来は個々の静止画を順に表示させ、セピアにする操作と画像サイズを変更する操作をおこなうが、この実施例では、１枚目の静止画に対する編集の指定内容を記憶しておき、その画面で利用者が表示されている「全てに実施」ボタン（図６参照）を押すと、制御部１はそれを認識し、再生順番に指定されている各画像番号の画像データを順次読み出し、記憶しておいた処理指定内容の編集をおこなうのである。なお、前記において、「全てに実施」ボタンを押すことなく、「メニュー」ボタン２１を押すと、指定された編集（処理指定内容の処理）を実施することなく、図３に示した画面へ戻る。
【００１０】
次に、「画像消去」について説明する。
この操作では、まず、利用者が図３に示したメニューで「画像消去」を選択し、「セット」ボタン２２を押す。そうすると、制御部１がそれを認識し、画像消去メニューを表示し、画像単位で画像消去をおこなうのか、全ての画像を消去するのかを選択させる。そして、画像単位であることが指示されると、消去指示モードに入り、制御部１は対象となる静止画を順次表示させる。なお、「＋／−」ボタン押下に応じて表示画像を前後に移動させるのである。静止画の下には画像番号も表示させる。そして、「セット」ボタン押下を認識したとき、そのとき表示状態にある静止画を消去指示状態にする。なお、この消去指示状態の表示画像で「セット」ボタン２２を押すと表示画像の消去指示状態は解除される。
こうして、消去する静止画の指示が終わると、利用者は表示されている「実行」ボタンにタッチし、これを認識した制御部１は消去指示状態にある静止画を消去する。
また、前記において、すべての画像を消去する方が選択された場合には、画像番号を付与されている全ての画像を消去する。
次に、画像再生について説明する。
この場合には、「メニュー」ボタン２１を押して図３に示した画面を表示させ、利用者が「画像再生」を選択すると、制御部１は再生用ファイルが開かれているか否かを判定し、開かれている場合にはその再生用ファイルに設定された静止画をそれに設定された再生順番で表示させる。それに対して、再生用ファイルが開かれていない場合には、登録（保存）されている再生用ファイルを読み出して（開いて）表示させる。なお、再生用ファイルが複数登録されている場合には、そのうち登録日時が最新であるファイルを開き、利用者が「−」ボタン２５を押したとき、１つ古い登録日時の再生用ファイルを開く。
こうして、利用者が、表示されている「実行」ボタンにタッチすると、制御部１はそれを認識し、当該再生用ファイルに設定された再生順番中の最初の画像番号の画像データをメモリ７から読み出し、コネクタ１４を介して外部のモニタ装置にその静止画を出力する。以下、「＋」ボタン２４の押下を認識すると、制御部１は再生順番中の次の静止画を再生出力し、「−」ボタン２５が押されると、１つ手前の画像を再生出力する。
また、この実施例では、前記した処理指定内容が記憶されたままで実施されていなければその処理指定内容を表示して確認することができるし、その同じ画面に、再生される複数の静止画を再生順に一括表示することもできる。
そのため、この実施例では、各静止画に対応づけて、予めそれぞれ縮小版を作成しておく。そして、処理指定内容を確認する際には、まず、利用者が「メニュー」ボタンを押し、それにより制御部１が図３に示した画面を表示させる。そして、利用者が「確認」を選択すると、制御部１は登録（保存）されている再生用ファイルを開く（読み出す）。なお、再生用ファイルが複数登録されている場合には、そのうち登録日時が最新であるファイルを開く。さらに、その再生用ファイルに設定されている静止画の縮小版を設定されている再生順に並べて表示するとともに設定されている（記憶されている）処理指定内容を表示する。表示例を図７に示す。
【００１１】
図７において、丸で囲んだ数値は再生順を示している。なお、この表示に際しては画面内容を例えば上下方向にスクロールすることも可能であり、設定されている複数の静止画のうちの一部が画面からはみ出してしまう場合にはスクロールして全画面を確認することができる。また、再生用ファイルが複数登録されている場合には、前記したようにして登録日時が最新であるファイルを開き、利用者が「−」ボタン２５を押したとき、１つ古い登録日時の再生用ファイルを開く（「−」ボタンが複数回押されれば、順にさらに古い登録日時の再生用ファイルを開く）。
また、図７に示した例では、画面の左方に処理指定内容を示すアイコン３１を表示している。上側のアイコンは静止画の色をセピア色にすることを示しており、下側のアイコンは静止画のサイズを２分の１に縮小することを示している。なお、アイコン３１の絵柄は複数の処理内容のそれぞれに対応づけて予め作成し、登録しておく。
また、この状態で「メニュー」ボタン２１を押して図３に示した画面を表示させ、「編集」を選択すれば、前記したようにして編集をおこなうことにより再生対象の静止画や再生順、および処理指定内容を変更することができる。
また、図７に示した画面の状態で「実施」を指示すれば、表示されている全ての静止画に対して表示されている処理指定内容の処理を一括して実施する。
こうして、この実施例によれば、静止画に施す処理や静止画の再生に先立ち、当該再生用ファイルの処理指定内容や、どのような静止画がどのような再生順で再生されるのかを一目で確認することができるので、意図通りに設定されたかどうかが容易にわかり、未確認で処理指定内容の処理を実施する場合や、未確認で再生することに対する利用者の不安を解消できるし、意図通りでない再生を防ぐことができる。
本発明の第２の実施例では、前記した再生用ファイルの設定内容確認時に表示される処理指定内容をアイコン３１で表示する代わりに、図８に示したように文字列３２で表示する。それ以外は第１の実施例と同じであり、この場合にも第１の実施例と同様の効果を得ることができる。
【００１２】
以上、画像再生装置がデジタルカメラである場合で説明したが、画像再生装置はデジタルカメラやスキャナなど画像入力装置と接続可能なパーソナルコンピュータなど情報処理装置であってもよい。この場合、前記した制御部１は情報処理装置の制御部であり、メモリ７は情報処理装置のＲＡＭおよびハードディスク記憶装置であり、表示装置１１は情報処理装置の表示装置である。そして、この場合も、その表示装置に対してだけでなく、情報処理装置が持っている外部インタフェース部を介して外部のモニタ装置へのスライド映出が可能である。
また、説明したような画像再生方法に従ってプログラミングしたプログラムを着脱可能な記憶媒体に記憶し、その記憶媒体をこれまで本発明によった画像再生をおこなえなかったパーソナルコンピュータなど情報処理装置に装着することにより、または、そのようなプログラムをネットワークを介してそのような情報処理装置へ転送することにより、その情報処理装置においても本発明によった画像再生をおこなうことができる。
【００１３】
【発明の効果】
以上説明したように、本発明によれば、請求項１および請求項６記載の発明では、再生する複数の静止画中のそれぞれに対して処理を施すに際して指定された処理指定内容を保存しておき、保存した処理指定内容の処理を複数の静止画に対して実施する前にその処理指定内容を指示に応じて表示することができるので、指定した処理内容をその処理を実施する前に確認でき、未確認で処理指定内容の処理を実施することに対する利用者の不安を解消できるし、意図通りでない再生を防ぐことができる。
また、請求項２記載の発明では請求項１記載の発明において、請求項７記載の発明では請求項６記載の発明において、処理指定内容を表示する際、その処理指定内容とともに、その処理を施す複数の静止画を縮小した複数の縮小画像を再生順に並べて表示することができるので、さらに、どのような静止画がどのような再生順で再生されるのかを一目で確認することができ、未確認で再生することに対する利用者の不安を解消できるし、意図通りでない再生を防ぐことができる。また、請求項３記載の発明では請求項１または請求項２記載の発明において、請求項８記載の発明では請求項６または請求項７記載の発明において、処理指定内容の表示がその処理指定内容を示すアイコンの表示であるので、処理指定内容が一目でわかる。
また、請求項４記載の発明では請求項１または請求項２記載の発明において、請求項９記載の発明では請求項６または請求項７記載の発明において、処理指定内容の表示がその処理指定内容を示す所定の文字列の表示であるので、実現が容易である。
また、請求項５記載の発明では、請求項１乃至請求項４のいずれか１項に記載の発明において、画像再生装置がデジタルカメラであるので、画像再生装置がデジタルカメラである場合に請求項１乃至請求項４のいずれか１項に記載の発明の効果を得ることができる。
また、請求項１０記載の発明では、請求項６、請求項７、請求項８、または請求項９記載の画像再生方法によった画像再生を実行させるプログラムを着脱可能な記憶媒体に記憶することができるので、その記憶媒体をこれまで請求項６、請求項７、請求項８、または請求項９記載の発明によった画像再生をおこなえなかったパーソナルコンピュータなど情報処理装置に装着することにより、その情報処理装置においても請求項６、請求項７、請求項８、または請求項９記載の発明の効果を得ることができる。
【図面の簡単な説明】
【図１】本発明の一実施例を示すデジタルカメラ要部の構成ブロック図である。
【図２】本発明の一実施例を示すデジタルカメラの背面図である。
【図３】本発明の一実施例を示すデジタルカメラの画面図である。
【図４】本発明の一実施例を示すデジタルカメラの他の画面図である。
【図５】本発明の一実施例を示すデジタルカメラの他の画面図である。
【図６】本発明の一実施例を示すデジタルカメラの他の画面図である。
【図７】本発明の一実施例を示すデジタルカメラの他の画面図である。
【図８】本発明の一実施例を示すデジタルカメラの他の画面図である。
【符号の説明】
１  制御部、６  画像処理部、８  操作部、９  画像表示メモリ、１０  表示インタフェース部、１１  表示装置、１４  コネクタ、２１  「メニュー」ボタン、２２  「セット」ボタン、２４  「＋」ボタン、２５  「−」ボタン
【図１】
2004266580.tif 000003
【図２】
2004266580.tif 000004
【図３】
2004266580.tif 000005
【図４】
2004266580.tif 000006
【図５】
2004266580.tif 000007
【図６】
2004266580.tif 000008
【図７】
2004266580.tif 000009
【図８】
2004266580.tif 000010